(57)【要約】【課題】            従来、鍵等の必要品の取り出し部分等の必要個所をロックし、そのロックを解除した時に、その痕跡を明確に残し、かつ、ロックとその解除作業を容易に行なうことができる手段が存在していなかったという点であり、しかもロック状態で対象となる物の使用現状、経歴を正確に目視確認することができる手段がなかったという点である。【解決手段】        ランナーとそのランナーに等ピッチで設けられた平行な連結部と、その連結部に切断部を介して抜け止め用バー部を接続し、その抜け止め用バー部に対象物貫通部を接続し、その対象物貫通部に、フラットな平板状の表示部を一体的に接続してあるロック用係止ピン材のアッセンブリにおいて、前記した表示部の接続は、破断可能な千切り部を介してなされていることとする。【選択図】          図２
2019200368.tif 000002
【特許請求の範囲】
【請求項１】
ランナーとそのランナーに等ピッチで設けられた平行な連結部と、その連結部に切断部を介して抜け止め用バー部を接続し、その抜け止め用バー部に対象物貫通部を接続し、その対象物貫通部に、フラットな平板状の表示部を一体的に接続してあるロック用係止ピン材のアッセンブリにおいて、前記した表示部の接続は、破断可能な千切り部を介してなされていることを特徴とするロック用係止ピン材のアッセンブリ。
【請求項２】
全体がウレタンゴムをはじめとするエラストマで成形されていることを特徴とする請求項１に記載のロック用係止ピン材のアッセンブリ。
【請求項３】
前記した抜け止め用バー部は断面円形の直棒状とし、前記した切断部を境として長さ寸法を異ならしめてあることを特徴とする請求項１または２に記載のロック用係止ピン材のアッセンブリ。
【請求項４】
前記した抜け止め用バー部の下面から対象物貫通部の両側面にかけて補強用リブが形成され、その補強用リブは、抜け止め用バー部の寸法を異ならしめた長い側を大きく、短い側をそれに比べ小さくしてあることを特徴とする請求項１から３のうち１項に記載のロック用係止ピン材のアッセンブリ。
【請求項５】
前記した抜け止め用バー部の接続は、前記した連結部を少なくとも一以上置きの間隔を隔ててなされていることを特徴とする請求項１から４のうち１項に記載のロック用係止ピン材のアッセンブリ。
【請求項６】
アッセンブリを成形するため、素材を供給する本ランナーは切除された状態とされ、前記したランナーを装着器具に挿し込むものとしてあることを特徴とする請求項１に記載のロック用係止ピン材のアッセンブリ。
【請求項７】
前記したランナーの端部には、装着器具への挿し込む方向性を示す方向指示部が形成されていることを特徴とする請求項６に記載のロック用係止ピン材のアッセンブリ。
【請求項８】
前記した表示部は前記した抜け止め用バー部の軸芯方向と直交する方向性で接続されていることを特徴とする請求項１に記載のロック用係止ピン材のアッセンブリ。
【請求項９】
前記した表示部には情報の読み書きができるＲＦＩＤチップがインサートあるいはシールとして貼付されていることを特徴とする請求項１に記載のロック用係止ピン材のアッセンブリ。
【請求項１０】
前記した表示部には他のロック用係止ピン材と区別できる通し番号ないしは二次元バーコードが印刷あるいは刻印されていることを特徴とする請求項１に記載のロック用係止ピン材のアッセンブリ
【請求項１１】
請求項１から１０に記載されたロック用係止ピン材のアッセンブリから切離され、単品とされたことを特徴とするロック用係止ピン材。
【発明の詳細な説明】
【技術分野】
【０００１】
本発明はロック用係止ピン材に関し、特に目的個所をロックして、そのロックを解除する際には一部を破断することで行ない、かかる作業を繰り返して実行するためのロック用係止ピン材のアッセンブリとそのアッセンブリから切離された単品としてのロック用係止ピン材に関する。
【背景技術】
【０００２】
従来、車両の鍵、部屋のドアの鍵、金庫の鍵等の種々の鍵の管理は、その貸し出しや返却は管理責任者に一任されているもので、鍵の貸し出し、返却は登録帳等の記録簿に記入され、確認が行なわれている。しかしながら、緊急時等に管理責任者が不在の場合等は必要とする鍵を入手することや、逆に返却することが不能となり、鍵の貸し出し、返却が確実に、かつ迅速に行なうことが困難な状態が生じてしまう。
【０００３】
そこで、管理責任者が不在であっても、鍵を必要とする者が、各自で鍵の持ち出しや返却を行ない、それを管理記録する方法として、鍵をロック可能なホルダーに掛け、そのホルダーの鍵の取り出し部分を連続的にロックし、解除することが考えられるが、現状、このホルダーのロック、解除を正確、迅速にしかも記録として残し、管理する手段が存在していない。
【先行技術文献】
【特許文献】
【０００４】
出願人は本願発明について、先行する技術文献を調査したが、格別に本願発明と関連し、類似していると思われる文献は発見できなかった。
【発明の概要】
【発明が解決しようとする課題】
【０００５】
本願発明が解決しようとする問題点は、従来、鍵等の必要品の取り出し部分等の必要個所をロックし、そのロックを解除した時に、その痕跡を明確に残し、かつ、ロックとその解除作業を容易に行なうことができる手段が存在していなかったという点であり、しかもロック状態で対象となる物の使用現状、経歴を正確に目視確認することができる手段がなかったという点である。
【課題を解決するための手段】
【０００６】
上記した問題点を解決するために、本発明に係るロック用係止ピン材のアッセンブリは、ランナーとそのランナーに等ピッチで設けられた平行な連結部と、その連結部に切断部を介して抜け止め用バー部を接続し、その抜け止め用バー部に対象物貫通部を接続し、その対象物貫通部に、フラットな平板状の表示部を一体的に接続してあるロック用係止ピン材のアッセンブリにおいて、前記した表示部の接続は、破断可能な千切り部を介してなされていることを特徴としている。
【０００７】
また、本発明に係るロック用係止ピン材のアッセンブリは、全体がウレタンゴムをはじめとするエラストマで成形されていることを特徴とし、前記した抜け止め用バー部は断面円形の直棒状とし、前記した切断部を境として長さ寸法を異ならしめてあることを特徴としている。
【０００８】
さらに、本発明に係るロック用係止ピン材のアッセンブリは、前記した抜け止め用バー部の下面から対象物貫通部の両側面にかけて補強用リブが形成され、その補強用リブは、抜け止め用バー部の寸法を異ならしめた長い側を大きく、短い側をそれに比べ小さくしてあることを特徴とし、前記した抜け止め用バー部の接続は、前記した連結部を少なくとも一以上置きの間隔を隔ててなされていることを特徴としている。
【０００９】
そして、本発明に係るロック用係止ピン材のアッセンブリは、アッセンブリを成形するため、素材を供給する本ランナーは切除された状態とされ、前記したランナーを装着器具に挿し込むものとしてあることを特徴とし、前記したランナーの端部には、装着器具への挿し込む方向性を示す方向指示部が形成されていることを特徴とし、前記した表示部は前記した抜け止め用バー部の軸芯方向と直交する方向性で接続されていることを特徴としている。
【００１０】
また、本発明に係るロック用係止ピン材は、前記した表示部には情報の読み書きができるＲＦＩＤチップがインサートあるいはシールとして貼付されていることを特徴とし、前記した表示部には他のロック用係止ピン材と区別できる通し番号ないしは二次元バーコードが印刷あるいは刻印されていることを特徴としている。
【００１１】
さらに、本発明に係るロック用係止ピン材は、アッセンブリから切離され、単品とされたロック用係止ピン材であることを特徴としている。
【発明の効果】
【００１２】
本発明は上記のように構成されている。ロック状態の解除は表示部を千切り破断することで簡単に実行でき、ランナーの連結部を少なくとも一以上置きに抜け止め用バー部を接続することで、その抜け止め用バー部の軸芯方向と直交させた表示部をその幅方向に並列するためのスペースが確保することができ、その表示部が重なり合ってしまう状態を回避することができ、アッセンブリ状態で、その表示部の目視確認が行ない易いものとなっている。
【００１３】
また、素材としてウレタンゴムをはじめとするエラストマを使用することで、ロック解放時に表示部を千切り、破断する作業が容易となり、対象物貫通部の補強用リブの左右の大きさを異ならしめてあることで、このロック用係止ピン材の使用時に表示部の表示面が前方へ向き、それを保持させることが容易になされることとなる。
【００１４】
さらに、ランナーの端部に方向指示部を形成することで、装着器具への装填方向が示されることとなり、方向性を誤ってしまうことがなくなる。
【図面の簡単な説明】
【００１５】
【図１】本発明を実施したロック用係止ピン材のアッセンブリを示す正面図である。
【図２】同じく部分拡大図である。
【図３】同じく右側面図である。
【図４】対象物貫通部と表示部との継ぎ部分（千切り部）を示す拡大図である。
【図５】当初の成形状態を示す正面図である。
【図６】同じく右側面図である。
【発明を実施するための形態】
【００１６】
図面として示し、実施例で説明したように構成したことで実現した。
【実施例１】
【００１７】
次に、本発明の好ましい実施の一例を図面を参照して説明する。図中１は本発明を実施したロック用係止ピン材２、２‥のアッセンブリを示している。このアッセンブリ１は本実施例ではウレタンゴムで成形されており、後述する装着器具に挿し込み装着されるランナー３を有しており、このランナー３には一定の等ピッチで連結部４、４‥が平行に列設されている。この連結部４、４‥は丸棒で全てが同一長さになっている。
【００１８】
この連結部４、４‥には、本実施例では二つ置きに切断部５、５‥を介して断面円形の直棒状とした抜け止め用バー部６、６‥が、連結部４と直交方向として接続されている。この抜け止め用バー部６の接続構造は、切断部５を境として一方を長寸とした長寸部６ａとし、他方をその長寸とした６ａよりも短い短寸部６ｂとしてある。
【００１９】
連結部４、４‥を二つ置きとして切断部５、５‥を介して抜け止め用バー部６、６‥を接続してあることで、後述する表示部の印刷面を表向きとして幅方向に並設させることのできるスペースが確保できる。
【００２０】
前記した抜け止め用バー部６には、前記した連結部４と直線上の配置で対象物貫通部７が連接されている。この対象物貫通部７の上端側面には、抜け止め用バー部６の下面にかけて、補強リブ８ａ、８ｂが形成されている。この補強リブ８ａは長寸部６ａ側を大きく、短寸部６ｂ側の８ｂを前記８ａに比べ小さく設定してあり、長寸部６ａ側の強度を強く構成してある。この構成によって、後述する表示部の印刷面の向きを抜け止め用バー部６の軸芯方向と直交位置に安定保持させることができる。また、かかる構成とすることで後述する装着器具による対象物へのピストン部材による押し込み（打ち込み）作業が容易となる。
【００２１】
前記した対象物貫通部７の下端には、千切り部９を介して表示部１０が連接されている。この表示部１０はフラットな平板状となっており、その表裏面は前記した抜け止め用バー部６の軸芯方向と直交する配置となっている。この表示部１０の表面、即ち、抜け止め用バー部６の長寸部６ａ側が印刷面１０ａとなっており、そのロック用係止ピン材２の情報の読み書きを可能とするＲＦＩＤチップがインサートあるいはシールで貼付されたり、通し番号や識別のための番号や文字、二次元バーコードが、レーザプリントによって設けられている。バーコードを用いた場合バーコードリーダで効率よい記録ができる。
【００２２】
前記した千切り部９は対象物貫通部７の下端と表示部１０の頂面との間で、抜け止め用バー部６の軸芯方向と幅方向を平行としたごく薄いシート状とされ、表示部１０を摘んで回転させることで簡単に捩じ切ることができるものとなっている。
【００２３】
さらに、前記したランナー３の装着器具への挿し込み方向となる先端側には、その挿し込みの方向を示す方向指示部３ａを設けることもでき、この方向指示部３ａを形成することで、ロック用係止ピン材２を目的位置に装着した際の表示部１０の向きを誤ってしまうこともなくなる。
【００２４】
かかる構成のアッセンブリ１は公知の装着器具にセットされ、使用に供される。この装着器具はトリガーを有しており、このトリガーを操作することで、切断部５をカッターで切断して、アッセンブリ１からロック用係止ピン材２を単品状態とし、続いてピストン部材が抜け止め用バー部６を長寸部６ａ側から押す。装着器具には対象物貫通部７を通過させるスリットを形成した中空ニードルが設けられており、この中空ニードルを対象物に挿し通し、ピストン部材で抜け止め用バー部６を中空ニードル内で押すことで抜け止め用バー部６は対象物の背面側に送り込まれ、素材の弾性で復元してロック用係止ピン材２の抜けを防止する。この作業で、ピストン部材が抜け止め用バー部６の長寸部６ａの端面を押すことで、表示部１０はその印刷面１０ａを正面に向け取り付けられることとなる。
【００２５】
また、前記したトリガーの操作が一回終了して、そのトリガーを戻す際には、ギアを用いた送り機構が作用して、ランナー３を進め、次のロック用係止ピン材２をセットする。この時、送り機構は連結部４を係合させて送るものとなっており、本実施例ではこの連結部４、４‥を二つ置きとして抜け止め用バー部６を設けてあるので、ロック用係止ピン材２を対象物に装着の操作後、トリガーを２回操作することで、つまり、２回の空操作をすることで次のロック用係止ピン材２がピストン部材に対してセットされることとなる。但し、この抜け止め用バー部６、６間の二つの連結部４、４は場合によってはなくしてもよく、その場合はランナー３を手動で押し込むこともできる。
【００２６】
そして、上記したアッセンブリ１を成形するには、図５、図６として示す本ランナー１１を用い、素材を供給する。この本ランナー１１には幅広となる表示部１０、１０‥を成形するためのゲート１１ａ、１１ａ‥が設けられ、まず、初期的に、この本ランナー１１が付設された状態となっているもので、この本ランナー１１をゲート１１ａ、１１ａ‥も含めて切離除去することで、アッセンブリ１を得ることとなる。即ち、表示部１０、１０‥の成形後もしくは同時にランナー３側から素材を表示部１０、１０‥に対して供給してアッセンブリ１を得る。
【産業上の利用可能性】
【００２７】
本発明は上記したように構成されている。そのため、従来のアッセンブリと同様に連結部４、４‥部分を送り機構のギアと対応させるので、新規な装着器具を製作しなくとも、既存の装着器具を本発明に係るアッセンブリ１に対して使用することができることとなっている。
【００２８】
また、方向指示部３ａの構成も実施例を示すほかに、ランナー３に矢印をプリントや刻設したりすることもでき、表示部１０のサイズも必要に応じて変更することができ、その幅方向サイズの変更に応じて、連結部４、４‥から抜け止め用バー部６、６‥の接続に関して、連結部４、４‥を一つ置きとしたり、三つ置き等に変更することもできる。
【符号の説明】
【００２９】
１    アッセンブリ
２    ロック用係止ピン材
３    ランナー
３ａ  方向指示部
４    連結部
５    切断部
６    抜け止め用バー部
６ａ  長寸部
６ｂ  短寸部
７    対象物貫通部
８ａ  補強リブ
８ｂ  補強リブ
９    千切り部
１０  表示部
１０ａ  印刷面
１１  本ランナー
１１ａ  ゲート
【図１】
2019200368.tif 000003
【図２】
2019200368.tif 000004
【図３】
2019200368.tif 000005
【図４】
2019200368.tif 000006
【図５】
2019200368.tif 000007
【図６】
2019200368.tif 000008